(57)【要約】      （修正有）【課題】二つの筐体の開き状態に応じて、キーの表示が変化する携帯電子機器において、ユーザーから見える特定のキーの位置を変えず、ユーザーが触覚でキーを特定する際に、混乱を生じさせる可能性を減らすキーシート。【解決手段】透明部５１ａを有するキートップシート５１と、ドームスイッチ５２と、プッシャーシート５３と、スライドシート５４とでキーシート５０を構成する。スライドシート５４におけるキートップシート５１側の面には、第１の方向に判読可能に表記が設けられた第１の表記部と、第１の方向とは異なる第２の方向に判読可能に表記が設けられた第２の表記部とが設けられ、第１の表記部における５番キーと第２の表記部における５番キーが、隣接した状態でスライドシート５４に記され、二つの５番キーを判読可能に露出させる透明部５１ａには、ユーザーが検知可能な凸部５１ｄが設けられている。【選択図】図３
2010109843.tif 000002
【特許請求の範囲】
【請求項１】
所定位置に複数の透明部が設けられたキートップシートと、
前記キートップシートに対して裏側の面に押圧用の突起を有するプッシャーシートと、
前記キートップシートと前記プッシャーシートとの間に設けられ、前記キートップシートおよび前記プッシャーシートに対して第１の方向に第１の位置から第２の位置までの範囲で移動可能なスライドシートとを備え、
前記スライドシートにおける前記キートップシート側の面には、
前記第１の方向を上下として印字された第１の表記部と、
前記第１の方向とは異なる第２の方向を上下として印字された第２の表記部とが設けられ、
前記第１の表記部における特定の意義を表す第１の特定の表記部は、前記第２の表記部における前記第１の特定の表記部と同じ意義を表す第２の特定の表記部と、前記第１の方向において、隣接して設けられ、
前記第１の特定の表記部は、前記複数の透明部のうちの特定の透明部と前記第１の位置または前記第２の位置のいずれか一方で重なるとともに、
前記第２の特定の表記部は、前記特定の透明部と前記第１の位置または前記第２の位置のいずれか他方で重なるキーシート。
【請求項２】
請求項１記載のキーシートであって、
前記スライドシートに記載された第１および第２の特定の表記部は、数字の５番キーであるキーシート。
【請求項３】
請求項１または２に記載のキーシートであって、
前記特定の透明部はユーザーが接触することにより検知可能な触覚検知部が設けられているキーシート。
【請求項４】
請求項３記載のキーシートであって、
前記触覚検知部は前記キートップシートにおいて凸状に形成したキーシート。
【請求項５】
請求項１から４のいずれか１項記載のキーシートを備えた携帯電子機器。
【発明の詳細な説明】
【技術分野】
【０００１】
本発明は、表記部の向きに合わせて最適な向きで操作できるキーシートおよびこのキーシートを用いた携帯電子機器に関するものである。
【背景技術】
【０００２】
２つの筐体が重なり合うように連結した携帯電子機器である折り畳み式の携帯端末では、ユーザーは、折り畳み式携帯端末を連結部の第１の回動軸を中心として開いた状態（縦開き状態）にして、テンキーなどの操作部を備えた第１の筐体を手で持ち、表示部を備えた第２の筐体を見るという使い型が一般的である。
【０００３】
ところで、近年、テレビジョン放送を受信して表示する携帯端末が実用化され、普及されてきたが、横長のテレビジョン放送画面を見るには、表示部を横長にする横開き状態の方が見やすい。そこで、第２の筐体を、第１の回動軸に直交する第２の回動軸まわりに回動させて開く構造が提案されている（例えば特許文献１参照）。
【０００４】
従来から提案されている折り畳み式の携帯端末の一例を図９と図１０に示す。
図９の携帯端末１００は、操作部１０１を有する第１の筐体１０２と、表示部１０３を有する第２の筐体１０４と、連結部１０５の３つの筐体で構成されている。そして、第１の筐体１０２に設けた第１回動軸１０２ａに連結部１０５を矢印Ａ方向に回動自在に支持している。連結部１０５を矢印Ａ方向に回動することにより、第１の筐体１０２に対して第２の筐体１０４を第１の方向に開いて、縦開き状態とできる。
【０００５】
また、図１０に示すように、連結部１０５には第２回動軸１０４ａが設けられており、第２の筐体１０４を矢印Ｂ方向に回動自在に支持している。従って、第２の筐体１０４を矢印Ｂ方向へ回動させることにより、第１の筐体１０２に対して第２の筐体１０４を第２の方向に開いて、横開き状態とできる。
【０００６】
しかしながら、この構造では縦開き状態、もしくは横開き状態のどちらかの状態にしか操作部の表示を合わせることができない。そのため、表示面と操作表示があっていない状態では直感的に操作しにくいという問題があった。
【０００７】
そこで、キートップと、各キーのキー機能表示を外部から確認可能に表示したキー機能表示部を備えた電子機器のキー構造において、キー機能表示部は、キートップとの相対位置が変更可能であり、外部から確認可能なキー機能表示を切り替える電子機器のキー構造が知られている（例えば、特許文献２参照）。
【特許文献１】特開２００６−２２８９９号公報
【特許文献２】特開２００２−７０３４号公報
【発明の開示】
【発明が解決しようとする課題】
【０００８】
しかしながら、上述した図９や図１０において、縦開き状態と、横開き状態のいずれの状態でも操作しやすいように、表示の向きに操作キーの向きを一致させるように切替えたい場合には、キー機能表示の方向を機械的あるいは電気的に切替える必要がある。従来のようなキー機能表示を、例えば、機械的に切り替える場合、縦開き状態と横開き状態の間で、図１１と図１２に示すように、表示の向きが変わるとともに、キー配列位置が変更され、対応する同意義のキーが異なる場所に移動することとなる。このような構造は、ユーザーに混乱を生じさせるものである。
【０００９】
特に、従来より、携帯電話には、暗闇でも触覚のみで操作可能にするため、または目の不自由な方等のため、例えば５番キー上に凸部が設けられている。しかしながら、上記のような構成においては、縦開き状態と横開き状態の間で５番キーの位置もずれることとなり、ユーザーに混乱を生じさせる懸念がある。
【００１０】
本発明は、従来の問題を解決するためになされたもので、筐体の開き状態にかかわらず、ユーザーから見える特定キーの位置が変わらないキーシート構成を提供するとともに、このキーシートを用いた携帯電子機器を提供することを目的とする。
【課題を解決するための手段】
【００１１】
本発明のキーシートは、所定位置に複数の透明部が設けられたキートップシートと、前記キートップシートに対して裏側の面に押圧用の突起を有するプッシャーシートと、前記キートップシートと前記プッシャーシートとの間に設けられ、前記キートップシートおよび前記プッシャーシートに対して第１の方向に第１の位置から第２の位置までの範囲で往復移動可能なスライドシートとを備え、前記スライドシートにおける前記キートップシート側の面には、前記第１の方向を上下として印字された第１の表記部と、前記第１の方向とは異なる第２の方向を上下として印字された第２の表記部とが設けられ、前記第１の表記部における特定の意義を表す第１の特定の表記部は、前記第２の表記部における前記第１の特定の表記部と同じ意義を表す第２の特定の表記部とが、前記第１の方向において、隣接して設けられ、前記第１の特定の表記部は、前記複数の透明部のうちの特定の透明部と前記第１の位置または前記第２の位置のいずれか一方で重なるとともに、前記第２の特定の表記部は、前記特定の透明部と前記第１の位置または前記第２の位置のいずれか他方で重なる。
【００１２】
上記構成により、同意義を有する第１の特定の表記部と第２の特定の表記日が、筐体の開き状態にかかわらず、特定の位置に保持可能である。そのため、ユーザーが暗い場所にいたり、ユーザーが目の不自由な方であっても、当該ユーザーが触覚でキーを特定する際に、混乱を生じさせる可能性を減らすことができる。
【００１３】
また、本発明のキーシートでは、前記スライドシートに記載された第１および第２の特定の表記部が、数字の５番キーであるのが好ましい。
【００１４】
上記構成により、従来どおり、ユーザーは、筐体の開き状態にかかわらず、触覚により５番キーを検知することが可能となる。
【００１５】
前記特定の透明部はユーザーが接触することにより検知可能な触覚検知部が設けられているのが好ましい。
【００１６】
上記構成により、同意義を有する第１の特定の表記部と第２の特定の表記部が、筐体の開き状態にかかわらず、触角検知部が形成された特定の位置に保持可能である。そのため、ユーザーが暗い場所にいたり、ユーザーが目の不自由な方であっても、当該ユーザーが触覚でキーを特定する際に、混乱を生じさせる可能性を減らすことができる。
【００１７】
また、前記触覚検知部は前記キートップシートにおいて凸状に形成するのが好ましい。このような構成により、従来と同様の感触で、ユーザーは、特定の表記部を触覚検知することができる。
【００１８】
さらに、本発明の携帯電子機器は、前述したキーシートを備えた構成を有している。
【００１９】
この構成により、周囲が暗いときや、目の不自由な方でも確実に入力したいキーを押すことができる。
【発明の効果】
【００２０】
本発明は、筐体の開き状態に応じて、ユーザーから見える（外部から視認可能な）特定のキーの位置が変更しないため、ユーザーが触覚でキーを特定する際に、混乱を生じさせる可能性を減らすことができる。
【発明を実施するための最良の形態】
【００２１】
以下、本発明の実施形態のキーシートおよび携帯電子機器について、図面を用いて説明する。
【００２２】
図１は本発明にかかる実施形態の携帯電子機器の縦開き状態を示す斜視図、図２は携帯電子機器の横開き状態を示す斜視図、図３はキーシートの分解斜視図、図４はキーシートの斜視図、図５（Ａ）はキーシートの分解斜視図、図５（Ｂ）はドームスイッチにキーシートを重ねた状態を示す断面図、図６は図４中ＶＩ−ＶＩ位置の断面図、図７は縦開き状態における表記を示す正面図、図８は横開き状態における表記を示す正面図、図９（Ａ）〜（Ｂ）は凹凸の形成の変形例を示す断面図である。
【００２３】
図１および図２に示すように、実施形態に係る携帯電子機器としての折り畳み式携帯端末１０では、操作部２１のある第１の筺体である下筐体２０と、表示部３１を有する第２の筐体である上筐体３０とが、連結部４０により回動可能に連結されている。
【００２４】
すなわち、図１に示すように、折り畳み式携帯端末１０では、例えば通話やメールを行う際に、上筐体３０を連結部４０の第１回動軸４１回りに回動させて、下筐体２０に対して縦方向に開く縦開き状態と、図２に示すように、例えばテレビを受信したりゲームをしたりする際に、上筐体３０を連結部４０の第２回動軸４２回りに回動させて、下筐体２０に対して横方向に開く横開き状態とが可能となっている。
【００２５】
操作部２１には、四方向キー２２および文字や数字を入力するテンキー２３が設けられている。テンキー２３では、縦開き状態で使用する際には、電話機として使えるように、規格で定められた電話機用のテンキー２３配列で、第１の方向（図１中矢印Ａ方向）を上下とする向きで表示される。また、横開き状態で使用する際には、テレビ放送受信機として使いやすいように、第１列目は左から「１」、「２」、「３」、「＃」と並んでいる。第２列目は左から「４」、「５」、「６」、「０」と並んでいる。そして、第３列目は「７」、「８」、「９」、「＊」と並んでいる。数字の向きは、第２の方向（図２中矢印Ｂ方向）を上下とする向きで表示される。
【００２６】
操作部２１においては、下筐体２０の上面２０ａに、四方向キー２２およびテンキー２３に対応して窓２２ａ、２３ａが設けられており、スライドシート５４に表示された各キーの表示が見えるようになっている。
【００２７】
下筐体２０の内部には、操作部２１を構成するキーシート５０が設けられている。図３に示すように、キーシート５０は、所定位置に透明部５１ａが窓状に設けられたキートップシート５１と、キートップシート５１とドームスイッチと５２の間に設けられたプッシャーシート５３と、キートップシート５１とプッシャーシート５３との間に設けられ、キートップシート５１およびプッシャーシート５３に対して面方向に沿って所定の範囲で往復移動可能なスライドシート５４とを積層して構成されている。
【００２８】
図３に示すように、キートップシート５１においては、透明な本体５１ｂの表面に、操作部２１における窓２２ａ、２３ａに対応する部分以外の部分に、不透明な塗料５１ｃを塗布することにより、透明部５１ａを形成している。これにより、窓２２ａ、２３ａに対応した位置に透明部５１ａを容易に形成できる。従って、透明部５１ａは、塗料５１ｃの厚さ分だけ凹んで形成されることになる。
【００２９】
キートップシート５１の透明部５１ａの一つには、触覚検知部としての凸部５１ｄが、透明部５１ａと一体的に形成されている。尚、後述するように、凸部５１ｄが形成されている透明部５１ａは、スライドシート上に記された数字の「５」のキーを露出させる部分に相当する。
【００３０】
図３に示すように、スライドシート５４は、薄いが、座屈しない程度の剛性を有するプラスチックシートでできており、一端に凸状のフォロア取付部５４ａが形成されている。フォロア取付部５４ａには、第１の回動軸４１に設けられているフォロア移動機構４１ａによって往復移動するフォロア部材５７が取付けられる。
【００３１】
フォロア取付部５４ａにはその長手方向に伸びた長孔状の貫通孔５４ｂが形成されているとともに、フォロア部材５７にもその長手方向に伸びた長孔状の貫通孔５７ａが形成されている。そして、二つのビス５４ｃ，５４ｃが、貫通孔５４ｂ、５４ａを貫通し、フォロア取付部５４ａとフォロア部材５７をナット５４ｄ，５４ｄとともに締め付けることにより、両者は互いに固定される。長手方向に二組のビスとナットを用いるので、フォロア取付部５４ａとフォロア部材５７を安定的に固定することができ、両者の位置決め調整も容易となる。
【００３２】
また、スライドシート５４の周囲には、枠部５６が設けられており、スライドシート５４の動きを規制するためにスライドシート５４の周囲を囲むように設けられる。
【００３３】
なお、枠部５６の下面(裏面)の一部には、段差部５６ａを設けて枠部５６の肉厚を薄くし、上述したスライドシート５４のフォロア取付部５４ａが通るようにしている。枠部５６の下面には、キーのクリック感を向上させるためにプッシャーシート５３が、貼着して固定されている。
【００３４】
スライドシート５４は、枠部５６の下面にプッシャーシート５３を貼着して固定した状態で、プッシャーシート５３の上に置き、スライドシート５４の一端に形成したフォロア取付部５４ａを枠部５６の段差部５６ａとプッシャーシート５３との隙間に通して、フォロア取付部５４ａにフォロア部材５７を固定する。このフォロア部材５７は、第１回動軸４１の回転に対応することでスライドシート５４を移動させる。
【００３５】
なお、スライドシート５４は、第１回動軸４１が回転した場合のみ移動し、第１回動軸４１が回転しない場合、すなわち、上下筐体２０、３０を閉じた状態および上筐体３０を横開きにした場合には、スライドシート５４は図示省略のバネ部材により付勢されて、原点位置（横開き状態に適した位置）にあって移動しない。
【００３６】
従って、上筐体３０の開き方（第１回動軸４１の回転の仕方）に応じたフォロア部材５７が移動に伴い、スライドシート５４は、枠部５６の内側で、キートップシート５１とプッシャーシート５３との隙間を移動可能に保持されることになる。
【００３７】
すなわち、スライドシート５４は、例えば上筐体３０を第１回動軸４１を中心として縦開きにして電話機として使用する際には、図４中Ａ方向へ移動して縦開き状態に適した第１の位置（図７参照）に位置する。
【００３８】
また、上筐体３０を第２回動軸４２を中心として横開きにしてテレビ受信機として使用する際には、横開き状態に適した第２の位置（図８参照）に位置する。スライドシート５４は、この第１の位置と第２の位置の間で往復移動可能となっている。
【００３９】
図４に示すように、スライドシート５４におけるキートップシート５１側の面（ここでは上面）には、第１の位置（縦開き状態）においてキートップシート５１の透明部５１ａから第１の方向（縦開き状態における上下方向）に判読可能に表記が設けられた第１の表記部５８（図７参照）と、第２の位置（横開き状態）において透明部５１ａから第１の方向とは異なる第２の方向（横開き状態における上下方向）に判読可能に表記が設けられた第２の表記部５９（図８参照）とが設けられている。第１の表記部５８と第２の表記部５９により、スライドシート５４の表記部が構成される。
【００４０】
図７に示すように、第１の表記部５８と第２の表記部５９とは、キートップシート５１における透明部５１ａの、スライドシート５４のスライド方向の間隔をＰとした場合に、その半分（Ｐ／２）だけずらして配置されている。
【００４１】
なお、スライド方向と直交する方向に対しては、同じ位置である。これにより、スライドシート５４をＰ／２だけずらすことにより、第１の表記部５８と第２の表記部５９とを容易に変えることができる。
【００４２】
すなわち、前述したように、第１の表記部５８においては、電話機として使えるように、規格で定められた電話機用のテンキー２３配列で、第１の方向（図１中矢印Ａ方向）を上下とする向きで表示される。また、第２の表記部５９においては、テレビ放送受信機として使いやすいように、第１列目は左から「１」、「２」、「３」、「＃」、第２列目は左から「４」、「５」、「６」、「０」、第３列目は「７」、「８」、「９」、「＊」と並んでおり、数字の向きは、第２の方向（図２中矢印Ｂ方向）を上下とする向きで表示される。そして、第１の表記部５８と第２の表記部５９とが、スライドシート５４のスライド量に対応して、スライド方向に隣接して設けられている。
【００４３】
本実施の形態では、第１の表記部における「５」、すなわち数字の５番キーと、第２の表記部における「５」、すなわち数字の５番キーとが、第１の方向において、隣接した状態でスライドシート５４に記されている。「隣接した状態」とは、図４に示すように、第１の表記部の５番キーと第２の表記部の５番キーが隣り合った状態でスライドシート５４の表記部に記されており、かつ、図７、図８に示すように、これら二つのキーが、二つの上筐体３０の開き上体において特定の透明部５１ａから露出するような関係をいう。図４では、領域Ｓにおいて二つの表記部の５番キーが隣接した状態で存在する。二つの５番キーの間には何ら文字が示されていないのが好ましいが、この条件は本発明の必須の条件ではない。
【００４４】
既述の通り、キートップシート５１の透明部５１ａの一つには、触覚検知部としての凸部５１ｄが、透明部５１ａと一体的に形成されている。凸部５１ｄが形成されている透明部５１ａは、スライドシート５４上に記された数字の「５」のキーを露出させる部分に相当する。暗闇でも触覚のみで操作可能にするため、または目の不自由な方等のため、携帯電話の５番キー上には、凸部が設けられているのが一般的である。
【００４５】
本実施形態においては、図７と図８のような二つの開き状態（縦開き状態と横開き状態）の間で５番キーの位置がずれることなく、同じ位置に位置することとなる。すなわち、凸部をもつキーが５番キーであることは二つの開き状態において変わらない。したがって、携帯端末１０の開き状態を変えた際においても（特に図８の状態にした際でも）、ユーザーに混乱を生じさせることを防止し、スムーズな操作性を保障することとなる。とりわけ、暗闇で操作するユーザーや、目の不自由な方等にとって、上記構成は有用である。
【００４６】
凸部５１ｄは、折り畳み式携帯端末１０のユーザーが触れることにより検知可能な触覚検知部として設けられている。したがって、触覚検知部の形状は任意であり、凹部、溝部、針状突起、三角状突起など、種々の形状であってよい。
【００４７】
また、本実施形態では、触覚検知部が設けられるキーは数字の５番キーとしたが、触覚検知部が設けられるキーは特には限定されず、電源キーなどであってもよい。すなわち、本発明においては、第１の表記部５８における文字、記号など特定の意義を表す第１の特定のキー（第１の特定の表記部）と、第２の表記部５９における当該第１の特定のキーと同じ意義を表す第２の特定のキー（第２の特定の表記部）が、第１の方向と第２の方向の少なくともいずれかの方向において、隣接した状態でスライドシート５４に記されていればよい。
【００４８】
図６に示すように、キーシート５０においては、キートップシート５１とプッシャーシート５３とスライドシート５４とのうち、互いに対向する二面の少なくとも一方の一部に他方との密着を緩和する凹凸６１が形成されている。
【００４９】
すなわち、スライドシート５４のキートップシート側には、凹凸６１が形成されており、スライドシート５４と、キートップシート５１の密着（貼り付き）を防止して、スライドシート５４のスライドをスムーズに行うことができるようにしている。
【００５０】
図５（Ａ）および（Ｂ）に示すように、ここでは、スライドシート５４のキートップシート側に、スライドシート５４の第１の表記部５８および第２の表記部５９を覆う被覆層５５を設け、この被覆層５５の表面に凹凸６１が形成されている。被覆層５５は、例えば、スライドシート５４が第１の位置および第２の位置にあるときに、キートップシート５１の透明部５１ａから目視できる領域にのみ設けることができる。
【００５１】
あるいは、第１の表記部５８および第２の表記部５９を覆う全域に被覆層５５を設けることができる。この場合には、スライドシート５４および被覆層５５の製造が容易になる。
【００５２】
なお、図５（Ａ）に示すように、第１の表記部５８および第２の表記部５９の表記（数字や文字）と重なるように、被覆層５５の表面（上面）に例えばＵＶ照射により凹凸６１を設けることができる。あるいは、被覆層５５の上面全面に凹凸を設けることもできる。
【００５３】
これにより、スライドシート５４の表記を透明な被覆層５５で覆うので、スライドシートがキートップシートと接触した場合に、擦過傷がついた場合でも目立ちにくくできる。また、被覆層５５の表面に凹凸６１が形成されているので、キートップシート５１にスライドシート５４が貼り付くのを防止して、スムーズに移動させることができる。
【００５４】
なお、凹凸６１の表面の凸形状の高さとしては、５〜６０μｍとするのが効果的である。
【００５５】
また、凹凸を形成するための被覆層５５の材質としては、ＵＶ硬化のための材料にメジューム剤を混ぜたものを使用するのが一般的である。
【００５６】
図３および図５（Ｂ）に示すように、スライドシート５４の下側にはプッシャーシート５３が設けられており、さらにプッシャーシート５３の下側にはドームスイッチ５２が設けられている。プッシャーシート５３は全体の厚さが薄く、キートップシート５１を押すことによりスライドシート５４を介してプッシャーシート５３たわませることで、直下のドームスイッチ５２のドーム５２ａ表面をへこませ、ドーム５２ａ内面を下降させて、基板５２ｂに設けられている櫛歯形電極に接触させて、キー入力を実現している。
【００５７】
また、ドームスイッチ５２におけるドーム５２ａ間の隙間には、バックライトである発光部としてのＬＥＤ５２ｃが設けられている。これにより、スライドシート５４の表記５８、５９が、プッシャーシート５３の裏側に設けられたＬＥＤ５２ｃからの光により照らされて、キートップシート５１の透明部５１ａから見えるので、第１の表記部５８および第２の表記部５９が見やすいとともに、外観品位を向上させることができる。
【００５８】
次に、縦開き状態および横開き状態における操作部２１における表示について説明する。
【００５９】
図７に示すように、下筐体２０に対して上筐体３０を第１回動軸４１周りに縦方向に開けると、第１回動軸４１の回転に応じて、第１回動軸４１に設けられているフォロア移動機構４１ａがキーシート５０のスライドシート５４に取付けられているフォロア部材５７を移動させて、スライドシート５４を移動させる。
【００６０】
これにより、第１の表記部５８がキートップシート５１の透明部５１ａを通して見えるので、電話やメールを容易に行うことができる。
【００６１】
なお、第２の表記部５９は、キートップシート５１の塗装部分５１ｃに隠れて見えない（破線で表示）。
【００６２】
また、図８に示すように、下筐体２０に対して上筐体３０を第２回動軸４２周りに横方向に開けると、第１回動軸４１は回転しないので、フォロア部材５１も移動せず、スライドシート５４は移動しない。上下筐体２０、３０を閉じた状態および横開き状態においては、スライドシート５４は原点位置にあり、第２の表記部５９がキートップシート５１の透明部５１ａを通して見える位置にある。
【００６３】
このため、横開き状態では、テレビの受信やゲームの操作を容易に行うことができる。
【００６４】
なお、第１の表記部５８は、キートップシート５１の塗装部分５１ｃに隠れて見えない（破線で表示）。
【００６５】
以上、説明したキーシート５０および携帯端末１０によれば、透明部５１ａを有するキートップシート５１と、ドームスイッチ５２とプッシャーシート５３と、キートップシート５１とプッシャーシート５３との間に設けられた隙間の間に配置された第１の表記部５８および第２の表記部５９を有するスライドシート５４とでキーシート５０を構成し、スライドシート５４あるいはスライドシート５４と面接触するキートップシート５１およびプッシャーシート５３の少なくとも一方の一部に凹凸６１を設けたので、接触面同士の密着を緩和することができ、かつ、接触したときの抵抗を下げることができるためスライドシート５４のスライド性を確保できる。
【００６６】
このため、スライドシート５４をスライドさせることにより、スライドシート５４におけるキートップシート５１側の面に設けられて、縦開き状態においてキートップシート５１の透明部５１ａから縦開き状態において読む向きに表記が設けられた第１の表記部５８と、横開き状態において透明部５１ａから横開き状態において読む向きに表記が設けられた第２の表記部５９とを、スムーズに切り替えることができる。
【００６７】
これにより、縦開き状態で例えば電話として使用する場合および横開き状態で例えばテレビ受信機として使用する場合に適したキー表示を得ることができる。
【００６８】
なお、本発明のキーシートおよび携帯電子機器は、前述した実施形態に限定されるものでなく、適宜な変形，改良等が可能である。
【００６９】
また、携帯電子機器は、携帯電話だけでなく、ＰＤＡ、ノートパソコン、ゲーム機等の持ち運び可能な電子機器であってもよい。
【００７０】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００７１】
本発明は、筐体の開き状態に応じてユーザーから見える（外部から視認可能な）特定のキーの位置が変わらないので、ユーザーが触覚でキーを特定する際に、混乱を生じさせる可能性を減らすことができ、スムーズな操作性を保障する携帯電子機器を提供する。
【図面の簡単な説明】
【００７２】
【図１】本発明にかかる実施形態の携帯電子機器の縦開き状態を示す斜視図
【図２】本発明にかかる実施形態の携帯電子機器の横開き状態を示す斜視図
【図３】本発明にかかる実施形態のキーシートの分解斜視図
【図４】キーシートの斜視図である。
【図５】図５（Ａ）はキーシートの分解斜視図、図５（Ｂ）はドームスイッチにキーシートを重ねた状態を示す断面図
【図６】図４中ＶＩ−ＶＩ位置の断面図
【図７】縦開き状態における表記を示す正面図
【図８】横開き状態における表記を示す正面図
【図９】従来の折り畳み式携帯電話の縦開き状態を示す斜視図
【図１０】従来の折り畳み式携帯電話の横開き状態を示す斜視図
【図１１】従来の折り畳み式携帯電話の縦開き状態を示す斜視図
【図１２】従来の折り畳み式携帯電話の横開き状態を示す斜視図
【符号の説明】
【００７３】
１０  携帯端末（携帯電子機器）
５０  キーシート
５１  キートップシート
５１ａ  透明部
５２  ドームスイッチ
５２ｃ  ＬＥＤ（発光部）
５３  プッシャーシート
５４  スライドシート
５５  被覆層
５８  第１の表記部
５９  第２の表記部
６１  凹凸
【図１】
2010109843.tif 000003
【図２】
2010109843.tif 000004
【図３】
2010109843.tif 000005
【図４】
2010109843.tif 000006
【図５】
2010109843.tif 000007
【図６】
2010109843.tif 000008
【図７】
2010109843.tif 000009
【図８】
2010109843.tif 000010
【図９】
2010109843.tif 000011
【図１０】
2010109843.tif 000012
【図１１】
2010109843.tif 000013
【図１２】
2010109843.tif 000014
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
操作部を有する第一筐体と表示部を有する第二筐体とが連結部を介して連結され、前記第一筐体に対して前記第二筐体が第１の方向及び前記第１の方向とは異なる第２の方向に開閉可能な折り畳み式携帯電子機器の操作部に用いられるスライドシートであって、
当該スライドシートの表面には、当該スライドシートが前記第一筐体内をスライド移動する第１の方向を上下として印字された第１の表記部と、前記第２の方向を上下として印字された第２の表記部とが設けられ、  
前記第１の表記部における特定の意義を表す第１の特定の表記部は、前記第２の表記部における前記第１の特定の表記部と同じ意義を表す第２の特定の表記部と、前記第１の方向において、隣接して設けられたことを特徴とするスライドシート。
【請求項２】
前記第１の特定の表記部と前記第２の特定の表記部は、同一の数字または文字または記号であることを特徴とする請求項１に記載のスライドシート。
【請求項３】
前記第１の特定の表記部と前記第２の特定の表記部は、数字の５であることを特徴とする請求項２に記載のスライドシート。
【請求項４】
前記第１の表記部および前記第２の表記部は、各々前記第１の方向に複数の文字列で構成され、前記第１の表記部と前記第２の表記部とは直交する方向に有することを特徴とする請求項１ないし請求項３に記載のスライドシート。
【請求項５】
前記第１の表記部および前記第２の表記部は、各々前記第１の方向に複数の文字列で構成され、前記第１の表記部と前記第２の表記部は、前記第１の方向において交互に印字されていることを特徴とした請求項１ないし請求項４に記載のスライドシート。
【請求項６】
請求項１ないし５に記載のスライドシートを操作部に備えた携帯電子機器であって、
前記操作部は、前記スライドシートの表記面側に窓を有し、
前記第一筐体に対して前記第二筐体を前記第１の方向に開いた場合には、前記スライドシートの移動により前記第１の表記部と前記窓とが重なり、
前記第一筐体に対して前記第二筐体を前記第１の方向に開かない場合には、前記スライドシートは移動せず、前記第２の表記部と前記窓が重なることを特徴とする携帯電子機器。
【請求項７】
前記窓部は透明部材で構成されており、前記窓部において前記第１の特定の表記部と重なる場所に凸部を形成したことを特徴とする請求項６に記載の携帯電子機器。
【手続補正２】
【補正対象書類名】明細書
【補正対象項目名】００１１
【補正方法】変更
【補正の内容】
【００１１】
本発明のスライドシートは、操作部を有する第一筐体と表示部を有する第二筐体とが連結部を介して連結され、前記第一筐体に対して前記第二筐体が第１の方向及び前記第１の方向とは異なる第２の方向に開閉可能な折り畳み式携帯電子機器の操作部に用いられるスライドシートであって、当該スライドシートの表面には、当該スライドシートが前記第一筐体内をスライド移動する第１の方向を上下として印字された第１の表記部と、前記第２の方向を上下として印字された第２の表記部とが設けられ、前記第１の表記部における特定の意義を表す第１の特定の表記部は、前記第２の表記部における前記第１の特定の表記部と同じ意義を表す第２の特定の表記部と、前記第１の方向において、隣接して設けられる。そして、前記第１の特定の表記部と前記第２の特定の表記部は、同一の数字または文字または記号で構成される。
【手続補正３】
【補正対象書類名】明細書
【補正対象項目名】００１２
【補正方法】変更
【補正の内容】
【００１２】
上記構成により、同意義を有する第１の特定の表記部と第２の特定の表記部が、筐体の開き状態にかかわらず、所定の位置で押すことができる。そのため、ユーザーが暗い場所にいたり、ユーザーが目の不自由な方であっても、当該ユーザーが触覚でキーを特定する際に、混乱を生じさせる可能性を減らすことができる。
【手続補正４】
【補正対象書類名】明細書
【補正対象項目名】００１３
【補正方法】変更
【補正の内容】
【００１３】
また、本発明のスライドシートでは、第１の特定の表記部と前記第２の特定の表記部が、数字の５番であることが好ましい。
【手続補正５】
【補正対象書類名】明細書
【補正対象項目名】００１５
【補正方法】変更
【補正の内容】
【００１５】
また、本発明のスライドシートを操作部に備えた携帯電子機器においては、前記操作部は、前記スライドシートの表記面側に窓を有し、前記第一筐体に対して前記第二筐体を前記第１の方向に開いた場合には、前記スライドシートの移動により前記第１の表記部と前記窓とが重なり、前記第一筐体に対して前記第二筐体を前記第１の方向に開かない場合には、前記スライドシートは移動せず、前記第２の表記部と前記窓が重なる窓部は透明部材で構成される。特に、前記窓部においては、前記第１の特定の表記部と重なる場所に凸部を形成するのが好ましい。

【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
操作部を有する第一筐体と表示部を有する第二筐体とが連結部を介して連結され、前記第一筐体に対して前記第二筐体が第１の方向及び前記第１の方向とは異なる第２の方向に開閉可能な折り畳み式携帯電子機器の操作部に用いられるスライドシートであって、
当該スライドシートは、前記第一筐体内において前記第一筐体に対する前記第二筐体の開閉に連動して前記第１の方向にスライドするとともに、
当該スライドシートの表面には、当該スライドシートが前記第一筐体内をスライド移動する第１の方向を上下として印字された第１の表記部と、前記第２の方向を上下として印字された第２の表記部とが設けられ、  
前記第１の表記部における特定の意義を表す第１の特定の表記部は、前記第２の表記部における前記第１の特定の表記部と同じ意義を表す第２の特定の表記部と、前記第１の方向において、隣接して設けられ、前記第１の特定の表記部と前記第２の特定の表記部は、同一の数字または文字または記号であることを特徴とするスライドシート。
【請求項２】
前記第１の特定の表記部と前記第２の特定の表記部は、数字の５であることを特徴とする請求項１に記載のスライドシート。
【請求項３】
前記第１の表記部および前記第２の表記部は、各々前記第１の方向に複数の文字列で構成され、前記第１の表記部と前記第２の表記部とは直交する方向に有することを特徴とする請求項１または請求項２に記載のスライドシート。
【請求項４】
前記第１の表記部および前記第２の表記部は、各々前記第１の方向に複数の文字列で構成され、前記第１の表記部と前記第２の表記部は、前記第１の方向において交互に印字されていることを特徴とした請求項１ないし請求項３に記載のスライドシート。
【請求項５】
請求項１ないし４に記載のスライドシートを操作部に備えた携帯電子機器であって、
前記操作部は、前記スライドシートの表記面側に窓を有し、
前記第一筐体に対して前記第二筐体を前記第１の方向に開いた場合には、前記スライドシートの移動により前記第１の表記部と前記窓とが重なり、
前記第一筐体に対して前記第二筐体を前記第１の方向に開かない場合には、前記スライ
ドシートは移動せず、前記第２の表記部と前記窓が重なることを特徴とする携帯電子機器。
【請求項６】
前記窓部は透明部材で構成されており、前記窓部において前記第１の特定の表記部と重なる場所に凸部を形成したことを特徴とする請求項５に記載の携帯電子機器。
【手続補正２】
【補正対象書類名】明細書
【補正対象項目名】００１１
【補正方法】変更
【補正の内容】
【００１１】
本発明のスライドシートは、操作部を有する第一筐体と表示部を有する第二筐体とが連結部を介して連結され、前記第一筐体に対して前記第二筐体が第１の方向及び前記第１の方向とは異なる第２の方向に開閉可能な折り畳み式携帯電子機器の操作部に用いられるスライドシートであって、当該スライドシートは、前記第一筐体内において前記第一筐体に対する前記第二筐体の開閉に連動して前記第１の方向にスライドするとともに、当該スライドシートの表面には、当該スライドシートが前記第一筐体内をスライド移動する第１の方向を上下として印字された第１の表記部と、前記第２の方向を上下として印字された第２の表記部とが設けられ、前記第１の表記部における特定の意義を表す第１の特定の表記部は、前記第２の表記部における前記第１の特定の表記部と同じ意義を表す第２の特定の表記部と、前記第１の方向において、隣接して設けられる。そして、前記第１の特定の表記部と前記第２の特定の表記部は、同一の数字または文字または記号で構成される。